(57)【要約】【課題】画像の修正処理（ゴミ取り作業）を容易且つ確実に実行可能とする。【解決手段】画像処理装置１は、画像毎にゴミ取り位置の情報を記憶部に記憶する。未処理の画像に対するゴミ取り処理時には、記憶部に記憶されたゴミ取り処理済の画像のゴミ位置Ｇを読み込んでゴミ取り画面３０の画像表示領域３１に表示する。また、画像表示領域３１には、プリントサイズによって決定されたプリント領域線２３が表示され、このプリント領域線２３で囲まれた領域内でゴミ取り作業が行われる。【選択図】図５
2007174183.tif 000002
【特許請求の範囲】
【請求項１】
複数の画像に対して所定の修正処理を施す画像処理装置において、
前記所定の修正処理が施された画像の修正位置情報を記憶する記憶手段と、
未修正の画像に対する修正処理時に、前記記憶手段に記憶された修正位置情報に基づいて、修正処理済の画像の修正位置を表示部に表示する表示制御手段と、
を備えることを特徴とする画像処理装置。
【請求項２】
前記複数の画像の各々の印刷範囲を指定する指定手段を備え、
前記表示制御手段は、前記指定手段により指定された印刷範囲を前記表示部に更に表示することを特徴とする請求項１に記載の画像処理装置。
【請求項３】
複数の画像に対して所定の修正処理を施す画像処理方法において、
前記所定の修正処理が施された画像の修正位置情報を記憶する工程と、
未修正の画像に対する修正処理時に、前記憶された修正位置情報に基づいて、修正処理済の画像の修正位置を表示部に表示する工程と、
を含むことを特徴とする画像処理方法。
【請求項４】
前記複数の画像の各々の印刷範囲を指定する工程と、
画像の修正処理時に、前記指定された印刷範囲を前記表示部に表示する工程と、
を含むことを特徴とする請求項３に記載の画像処理方法。
【発明の詳細な説明】
【技術分野】
【０００１】
本発明は、画像の修正処理を行う画像処理装置及び画像処理方法に関する。
【背景技術】
【０００２】
近年、デジタルカメラが急速に普及している。デジタルカメラでは、ＣＣＤ（Charge Coupled Device）等の撮像素子に埃等のゴミが付着してしまうと、撮影画像にゴミが写りこんでしまうため、撮影画像に対する画像処理の際、写りこんだゴミを除去するゴミ取り作業が行われている（例えば、特許文献１参照。）。
【特許文献１】特開２０００−４０１５９号公報
【発明の開示】
【発明が解決しようとする課題】
【０００３】
従来の撮影画像に対するゴミ取り作業は、ゴミを探す作業と、ゴミが存在した場合に画像を修正する作業に分かれているが、オペレータの目視によってゴミを探す作業は手間がかかり、オペレータにとって負担が大きいという問題があった。
【０００４】
本発明の課題は、画像の修正処理（ゴミ取り作業）を容易且つ確実に実行可能とすることである。
【課題を解決するための手段】
【０００５】
上記課題を解決するため、請求項１に記載の発明は、複数の画像に対して所定の修正処理を施す画像処理装置において、
前記所定の修正処理が施された画像の修正位置情報を記憶する記憶手段と、
未修正の画像に対する修正処理時に、前記記憶手段に記憶された修正位置情報に基づいて、修正処理済の画像の修正位置を表示部に表示する表示制御手段と、を備えることを特徴としている。
【０００６】
請求項２に記載の発明は、請求項１に記載の画像処理装置において、前記複数の画像の各々の印刷範囲を指定する指定手段を備え、前記表示制御手段は、前記指定手段により指定された印刷範囲を前記表示部に更に表示することを特徴としている。
【０００７】
請求項３に記載の発明は、複数の画像に対して所定の修正処理を施す画像処理方法において、前記所定の修正処理が施された画像の修正位置情報を記憶する工程と、
未修正の画像に対する修正処理時に、前記憶された修正位置情報に基づいて、修正処理済の画像の修正位置を表示部に表示する工程と、を含むことを特徴としている。
【０００８】
請求項４に記載の発明は、請求項３に記載の画像処理方法において、前記複数の画像の各々の印刷範囲を指定する工程と、画像の修正処理時に、前記指定された印刷範囲を前記表示部に表示する工程と、を含むことを特徴としている。
【発明の効果】
【０００９】
本発明によれば、画像の修正処理を容易且つ確実に実行することが可能となる。
また、指定された印刷範囲内での修正処理が可能となるため、印刷範囲外での修正処理という無駄な処理をすることがなくなり、修正処理の効率化を図ることができる。
【発明を実施するための最良の形態】
【００１０】
以下、図面を参照して、本発明の実施形態を説明する。
まず、本実施形態における構成について説明する。
【００１１】
図１に、本発明の実施形態に係る画像処理装置１の主要部構成を示す。画像処理装置１は、例えば、プリント注文を受け付けるためのＰＣ（Personal Computer）等の装置であり、図１に示すように、ＣＰＵ（Central Processing Unit）２、表示部３、操作部４、メディア読取部５、記憶部６、通信部７により構成され、各部はバス８を介して電気的に接続される。
【００１２】
ＣＰＵ２は、記憶部６に格納された各種処理プログラムに従って、画像処理装置１を構成する各部の動作を制御する。ＣＰＵ２の制御のもとで実行されるゴミ取り処理については、後に図２〜図６を参照して詳細に説明する。
【００１３】
表示部３は、ＬＣＤ（Liquid Crystal Display）やＣＲＴ（Cathode Ray Tube）等の表示ディスプレイにより構成され、ＣＰＵ２から入力される表示制御信号に従って、所要の表示処理を行う。
【００１４】
操作部４は、テンキー、カーソルキー、各種ファンクションキー等を有し、キーの押下による操作信号をＣＰＵ２に出力する。なお、操作部４は、表示部３のＬＣＤと一体になったタッチパネルを含んだ構成としてもよい。
【００１５】
メディア読取部５は、メモリスティック（登録商標）、スマートメディア（登録商標）、コンパクトフラッシュ（登録商標）、マルチメディアカード（登録商標）、ＳＤメモリカード（登録商標）、ＰＣカード等の各種メディアが装着可能な構成となっており、装着されたメディアに記録されたデータを読み取る。
【００１６】
記憶部６は、ＣＰＵ２により実行される各種処理プログラム及びこれらの処理プログラムの実行時に使用されるデータ、処理結果のデータ等を記憶する。
【００１７】
通信部７は、モデム、ターミナルアダプタ、ＬＡＮアダプタ等によって構成され、電話回線、ＩＳＤＮ回線或いは専用線等の通信ネットワークを介して、外部機器との通信を行うための通信制御を行う。
【００１８】
次に、図２〜図６を参照して、本実施形態における動作について説明する。
図２を参照して、ＣＰＵ２の制御のもとで実行されるゴミ取り処理について説明する。
【００１９】
まず、表示部３に、図３に示すような画像取込画面１０が表示され、操作部４の操作によって処理対象の画像（撮影画像）が取り込まれる（ステップＳ１）。
【００２０】
画像取込画面１０には、図３に示すように、取込画像指定領域１１、画像表示領域１２、画像取込ボタン１３等が表示される。また、画像取込画面１０の上部には、操作方法を示すメッセージを表示する領域が設けられている。取込画像指定領域１１には、画像処理装置１に設定されたドライブ又はフォルダの一覧が表示され、オペレータによる操作部４の操作によって、処理対象の画像を格納したドライブ又はフォルダ（例えば、メディア読取部４に装着されたメディア内のフォルダ）が選択され、選択されたドライブ又はフォルダに格納された画像が画像表示領域１２に表示される。次いで、画像表示領域１２に表示された画像の中から、操作部４の操作によって、取り込む画像（処理対象画像）が指定（クリック）され、画像取込ボタン１３が指定（クリック）されると、取込画像が決定される。図３では、「七五三」というフォルダに格納された５つの画像（画像１〜５）のうち、最初の３つの画像（外枠が反転表示された画像１〜３）が取り込まれる例を示している。
【００２１】
画像取込画面１０の画像取込ボタン１３が指定されると、表示部３には、図４に示すようなプリントサイズ選択画面２０が表示され、操作部４の操作により、取り込まれた画像のプリントサイズ及びプリント領域（印刷領域）が指定される（ステップＳ２）。
【００２２】
プリントサイズ選択画面２０は、図４に示すように、取込画像表示領域２１、ゴミ取りボタン２２が設けられている。取込画像表示領域２１に表示された画像毎に、プリントサイズ（例えば、Ｌサイズ）が指定されると、指定されたプリントサイズに応じたプリント領域線２３が決定され、これにより、プリント領域（印刷領域）が指定されたことになる。また、取込画像表示領域２１では、画像毎にプリント枚数を入力する欄が設けられている。
【００２３】
プリントサイズ選択画面２０においてゴミ取り対象の１画像を指定し、ゴミ取りボタン２２が指定（クリック）されると、表示部３には、図５に示すようなゴミ取り画面３０が表示される。ゴミ取り画面３０には、図５に示すように、画像表示領域３１、拡大ボタン３２、縮小ボタン３３、ゴミ取り作業ボタン３４、１つ戻るボタン３５、最初に戻すボタン３６、ゴミ位置読込ボタン３７、ゴミ位置追加ボタン３８、ゴミ位置削除ボタン３９、決定ボタン４０が設けられている。
【００２４】
ゴミ取り画面３０が起動されると、画像表示領域３１には、まず、１番目の画像が表示され、１番目の画像に対するゴミ取り作業が行われ、１番目の画像のゴミ取り位置情報（ゴミ位置の座標データ）が記憶部６に保存（記憶）される（ステップＳ３）。
【００２５】
ステップ３では、具体的に、ゴミ取り画面３０において、オペレータが画像上でゴミを見つけると、追加するゴミ位置Ｇを指定した上で、ゴミ位置追加ボタン３８を指定（クリック）することにより、指定されたゴミ位置Ｇ（図５では、円形）がマークされる。また、既に画面上にマークされたゴミ位置Ｇを削除する場合には、削除するゴミ位置Ｇを指定した上で、ゴミ位置削除ボタン３９を指定すればよい。なお、オペレータがゴミ位置を見つけるために、適宜、拡大ボタン３２、縮小ボタン３３を指定して、画像の表示を拡大、縮小させることができる。
【００２６】
ゴミ位置が確定すると、ゴミ取り画面３０において、ゴミ取り作業ボタン３４を指定することにより、ゴミ取り編集モード（ゴミ取り作業モード）となり、オペレータによる操作部４の操作により、マークされたゴミ位置Ｇの近傍の画像（領域）をゴミ位置Ｇにコピーして貼り付けることによって、ゴミ取り作業が行われる。画像表示領域３１には、図５に示すように、プリントサイズに応じて決定されたプリント領域線２３が表示されているため、オペレータは、プリント領域線２３の内側のプリント領域のみのゴミ取り作業を行えばよい。また、１つ戻るボタン３５を指定することにより、１つ前のゴミ取り作業が取り消され（ｕｎｄｏ）、最初に戻すボタン３６を指定することにより、画像表示領域３１に表示された画像が最初の画像（即ち、ゴミ取り前の画像）に戻る。なお、オペレータがゴミ取り作業を行うために、適宜、拡大ボタン３２、縮小ボタン３３を指定して、画像の表示を拡大、縮小させることができる。１番目の画像に対するゴミ取り作業が終了すると、決定ボタン４０を指定することにより、そのゴミ取り作業が終了した画像データと、ゴミ取り位置情報（ゴミ位置の座標データ）が記憶部６に保存され、プリントサイズ選択画面２０に戻る。
【００２７】
１番目の画像に対するゴミ取り作業及びゴミ取り位置情報の保存が終了すると、２番目以降の画像に対するゴミ取り作業が行われる。２番目以降の画像の場合、まず、プリントサイズ選択画面２０においてゴミ取り対象の画像を指定し、ゴミ取りボタン２２が指定されると、表示部３にはゴミ取り画面３０が表示され、画像表示領域３１には、指定されたゴミ取り対象の画像とともに、プリント領域線２３が表示される。ゴミ取り作業ボタン３４の指定によってゴミ取り編集モードになった後、ゴミ位置読込ボタン３７が指定されると、記憶部６から、前回の（１つ前の画像の）ゴミ取り作業で保存されたゴミ取り位置情報が読み込まれ、そのゴミ位置Ｇが画像表示領域３１上に表示される（ステップＳ４）。例えば、現在、３番目の画像に対するゴミ取り作業を行う場合、ステップＳ４では、記憶部６に記憶された２番目の画像のゴミ取り位置情報が読み込まれる。
【００２８】
画像表示領域３１に表示された前回のゴミ位置に基づいて、該当する画像に対するゴミ取り作業が行われ、その画像のゴミ取り位置情報（ゴミ位置の座標データ）が記憶部６に保存される（ステップＳ５）。ステップＳ５では、オペレータが、画像表示領域３１に表示された前回のゴミ位置以外に、新たにゴミを見つけると、ゴミ位置追加ボタン３８を指定することによって、画像表示領域３１にゴミ位置Ｇが追加される。一方、オペレータによって、画像表示領域３１に表示されたゴミ位置Ｇにゴミがないと判断された場合は、ゴミ位置削除ボタン３９の指定によって、表示されたゴミ位置が削除される。ゴミ取り作業の方法については、ステップＳ３での説明と同様であるのでここでの説明は省略する。
【００２９】
ステップＳ４及びＳ５の処理は、ゴミ取り対象の全ての画像に対して行われる。最後の画像のゴミ取り作業が終了し、決定ボタン４０を指定することによってプリントサイズ選択画面２０に戻る。このプリントサイズ選択画面２０において「次へ」ボタンが指定されると、全ての画像についてのゴミ取りが終了したと判断され（ステップＳ６；ＹＥＳ）、本ゴミ取り処理が終了する。
【００３０】
なお、ステップＳ３及びＳ５において、ゴミ取り位置情報を保存する際、ゴミ位置を自動的に検出して、検出された位置情報を記憶部６に保存するのが好ましい。以下、図６のフローチャートを参照して、ＣＰＵ２の制御のもとで実行されるゴミ位置検出処理について説明する。
【００３１】
まず、ゴミ取り前の画像が読み込まれ（ステップＳ１０）、次いで、ゴミ取り後の画像が読み込まれる（ステップＳ１１）。次いで、ゴミ取り前の画像とゴミ取り後の画像の画像値の差分情報が算出される（ステップＳ１２）。
【００３２】
次いで、ステップＳ１２で算出された差分が所定値以上の座標データが算出される（ステップＳ１３）。ステップＳ１３で算出された座標データから、ゴミ位置が検出される。このようにすると、ゴミ取り編集モードにおいて、ゴミ位置追加ボタン３８を用いなくても自動的にゴミ位置を検出することが可能となる。
【００３３】
以上のように、本実施形態の画像処理装置１によれば、前回処理対象となった画像のゴミ位置の座標データを保存し、次の画像のゴミ取り作業時に、その保存されたゴミ位置を画像上に表示することにより、画像上のゴミを探す作業が簡易化され、ゴミ取り作業の効率化を図ることが可能となる。また、ゴミ位置を見落とすことがなく、確実にゴミ取り作業を行うことが可能となる。特に、同一のカメラで撮影された一連の複数の画像は、常に同位置にゴミが写し出されることが多いため、本実施形態のゴミ取り処理は有効である。
【００３４】
また、ゴミ取り作業時に、プリント領域（印刷領域）を表示することにより、領域内のみのゴミ取り作業を行えばよく、作業効率を一層向上させることが可能となる。
【図面の簡単な説明】
【００３５】
【図１】本発明の実施形態に係る画像処理装置の主要部構成を示すブロック図。
【図２】画像処理装置において実行されるゴミ取り処理を示すフローチャート。
【図３】表示部に表示される画像取込画面を示す図。
【図４】表示部に表示されるプリントサイズ選択画面を示す図。
【図５】表示部に表示されるゴミ取り作業画面を示す図。
【図６】画像処理装置において実行されるゴミ位置検出処理を示すフローチャート。
【符号の説明】
【００３６】
１  画像処理装置
２  ＣＰＵ（表示制御手段）
３  表示部
４  操作部（指定手段）
５  メディア読取部
６  記憶部（記憶手段）
７  通信部
１０  画像取込画面
２０  プリントサイズ選択画面
２３  プリント領域線
３０  ゴミ取り作業画面
【図１】
2007174183.tif 000003
【図２】
2007174183.tif 000004
【図３】
2007174183.tif 000005
【図４】
2007174183.tif 000006
【図５】
2007174183.tif 000007
【図６】
2007174183.tif 000008